(57)【要約】【課題】地震災害時による地震動抑制に対して有効で有りながら構造が簡単で支柱施工部材をジョイント式にし多様化出来る要に部材を地震動回動抑制使用する制震、免震回動抑制装置部材を提供する。                              【解決手段】部材で円柱状中が空道である外側ケース１７と内側ケース７の空道１４が有り中に複数本バネ１３A配置し戻り用とし大きいバネ１８付一次地震動回動抑制部有り、内側ケース７と回動抑制主軸コア部２A台に空道８の中と上下に複数本バネ１１配置し二次地震動回動抑制部と、中心シャフト部ゼンマイ９-１０上下有り、中間にセンサー１１Aが有り、内側ケー          ス７上部に 支柱取替施工１Aが出来る、制震、免震回動抑制装置部材と組み込まれる。【選択図】図１
2019070244.tif 000002
【特許請求の範囲】
【請求項１】
制震部材として円柱状で中が空道である外側ケース１７と、前記外側ケース１７と同心軸である円柱状で中が空道の内側ケース７を外側ケース１７内に空間１４を有して設置し、前記空間１４にバネ部１３Aを設置し、前記外側ケース１７と内側ケース７の同心軸位置に回動抑制主軸コア部２A台を設け、前記回動抑制主軸コア部２A台と内側ケース７との間の空間８にバネ２を設置し、前記外側ケース１７と内側ケース７及び回動抑制主軸コア部２A台と前記回動抑制主軸コアー部２A台と一端にバネ２を介して接続されている下部上下回動振動板台６と、前記下部上下回動振動板台６の回動抑制主軸コア部２A台と接続されていない他端にバネ２７を介して接続されている底板３と、
前記バネ部１３Aは一方につばを有する円筒状の管で有る対向するコアのバネカップ１６に収納され、前記バネカップ１６のつば部を対向させている事を特徴する、制震、免震回動抑制装置と部材。
【請求項２】
請求項１記載の二次回動抑制空間部バネは前記回動抑制主軸コア部が主軸方向空道を有し、前空道内に設置したシャフトの上部に回動センサー１１Aつき、前記シャフト及び回動抑制主軸コア部台がゼンマイ式バネで接続されていること、                    請求項１および２に記載の制震回動抑制装置底板３部材において、前記土台と底板３がバネで接続されている事を備えるを特徴とする、制震、免震回動抑制装置と部材。    
【請求項３】
請求項１および２記載の免震装置部材を使用した、地震動の抑制を、自動で土台を元の位置に戻す装置として、制震回動抑制装置部材の上部にスタビライザー３４の、四面上下に取付、ロッド３６で接続する、上部スタビライザー３４は十字式の板バネ３５を複数枚重ねるバネ先端に取付、先端に取付ロッド３６下側はロアーアーム４２台に付く、スタビライザー３４はロアーアーム４８の左右対称にボールジョイント４２、四面角に付く下スタビライザー３４と、土台振動回動受ける複数本ショクアプソーバー３７戻り用と、複数本バネ３８戻り部材とする、上部振動回動四面方向抑制バネ４４戻り用とスタビライザー３４と地震動抑制部を使用した免震回動抑制装置、の中心部に装着した、制震回動抑制装置部材５０、部材として請求項１〜３の前記制震回動抑制装置部材を使用、中心部に装着した、制震、免震回動抑制装置と部材。                                
【請求項４】
請求項１及び２記載の地震動抑制部材とし前記制震回動抑制装置を取付施工部材集として継ぎ手と仕口は柱、梁、束、桁、土台各取付施工部材集として加工材支柱の組立する、部材の制震回動抑制装置を装着する、外側重着した丸形、制震取付装置台は中と、その外側に重着角形、制震装置台加工が付く８面支柱台周り施工出来る、丸形、角形の取替柱の台部材を接続施工とする、梁、柱取付施工に８角方向つなぎ部材組付けする、台形板を上下Ｈ台で繋ぎ止めの形としてI形、V形、T形、L形を台座部材として単体でも組立施工出来、８角方向基本台を組み替え支柱に止めるのをキー、杭、ダボ、ボルトを使用する、支柱は強度を上げる為板材、鋼材、化学材加工材支柱式に芯に繊維質素材を使用し先端をつなぎ固定部材で組立施工方法とする、柱組接続される、８角方向支柱先端をつなぎ部材上下固定カバー取付する、前記８角方向支柱つなぎ部材に角度を付ける８角斜倒角加工材部材を接続する事を特徴を構成する、制震、免震回動抑制装置と部材。                                                                       
【発明の詳細な説明】
【技術分野】
【０００１】
本発明は、建築物、建設物の制震、免震回動抑制装置と部材に関する。
【背景技術】
【０００２】
近年・大きな規模の地震が多発し、地震が発生した場合、その振動により家屋や建築物等の倒壊による人的被害及び経済的な被害が発生している、地震による被害を防ぐ各種構造の制震、免震装置が提案されている。                                              
【０００３】
特許文献１に記載されている免震装置は下側部材と上部部材を対向面間に座板を挟んで上下に配置し、前記下側部材はベース部材上の上向き支点軸に一端側を取付けて水平に回転可能とし、上側部材は被支持物の載置部材に設けた下向き支点軸に一端側を取り付けて水平に回転可能とし前記上向き支点軸は下側部材と上側部材が平行状態の位相にあるとき同軸芯の配置とし、前記下部部材と上側部材の途中を座板の中央を貫通してそれぞれの長乳に対して長き方向への移動が可能となるよう貫通する回転軸で結合し、前記下側部材と上側部材の内部に前記回転軸に常時支点軸６側へ向けての移動弾性を付勢するスプリングが組まれている。                                                                      
【０００４】
上下の高さが低く被支持物下部への組み込みに受けるが、上下地震動に対して片方に免震装置が置かれ揺れ幅を増幅する事が起こると、座板が曲がり動きが悪くなる、
大型の地震動による振動に対しても有効で有りながら構造が簡単で製作コストが安価となり、上下の高さが低く被支持物下部への組み込みに受けるが事が少ないが、取付スペースを大きく使用する、支持物取付荷重バランスが抑制しにくい欠点があげられる。
【先行技術文献】
【特許文献】
【０００５】
【特許文献１】特開２００６-２９２４３号
【発明の概要】
【発明が解決しようとする課題】
【０００６】
建築物の耐震設計は横揺れ幅の力と上下地震動に対して対抗、柱補強梁補強増設建物の倒壊は横揺れの力で耐震思想と耐震技術は耐震設計を推進する上で不可分の関係に関してわ、予測が難しい将来の地震動に対してどの程度の強さの地震動を想定して耐震設計を行うべきか、最大地震動に対してどの程度の塑性変形（損傷）を許容してよいか、建物周辺の地形、地盤構造などの局所的影響をどのように耐震設計に取り込んで行くか、経年に伴う老朽化や建物の耐震性能をいかに向上させるか、などが課題とされるのを制震、免震回動抑制装置部材で改善する。
【０００７】
地震動対策に制震構造、免震構造に対処するため解決しようとする問題点は、地震動を支柱、梁で破壊から、守る損傷を少なくする方法が少ない、支柱先端建築物で壊れにくい、再生の出来る建築材の取付部品の製作が出来るか、地震動を制御する回動抑制装置と制震装置、支柱、梁、取付部材を製作し、先端に装備する事で崩壊する事をふせぐ、制震、免震回動抑制装置部材構成の作りで解決しようとする。                                
【課題を解決するための手段】
【０００８】
本発明の特徴は、制震部材として円柱状で中が空道である、外側ケース１７と、前記外側ケース１７とケース内に外側ケース１７と同心軸である円柱状の内側ケース７を外側ケース１７と空間１４を有して設置し、前記空間１４にバネ１３Aを設置し、前記外側ケース１７と内側ケース７の同心軸に回動抑制主軸コア部２A台を設け、前記回動抑制主軸コアー部２A台と内側ケース７との間の空間８にバネ２を設置し、前記外側ケース17と内側ケース７及び回動抑制主軸コア部２A台と前記回動抑制主軸コア部２A台と一端にバネ２を介して接続されている下部上下回動振動板台６と、前記下部上下回動振動板台６の回動抑制主軸コア部２A台と接続されていない他端にバネ２７を介して接続されている底板３と、請求項1記載の一次回動抑制空間部１４にバネ３Aを置いて、前記バネ１３Aは一方につば部を有する円筒状の管で有る対向するコアのバネカップ１６に上下回動振動抑制するよう収納され、前記バネカップ１６のつば部を対向させている事を特徴する、制震回動抑制装置と部材。                                                                              
【０００９】
請求項１記載の二次回動抑制空間部バネ１１は前記回動抑制主軸コアー部２が主軸方向空道を有し、前空道内に設置したシャフト１の上部に回動センサー１１Aつき、前記シャフト１及び回動抑制主軸コア部台上下ゼンマイ式バネ９、１０で接続されていること、請求項1及び2に記載の制震回動抑制装置底板３部材において、前記土台と底板がバネ２８で接続されている事を特徴とする、制震回動抑制装置と部材。                            
【００１０】
免震装置部材として請求項1及び２記載の部材を使用した、地振動の抑制を、自動で土台を元の位置に戻す装置する、制震回動抑制装置部材の上部にスタビライザー３４を四面上下に取付、ロッド３６で接続する、上部スタビライザー３４は十字式の板バネ３５を複数枚重ねるバネ先端に取付、前記先端に取付ロッド下側はロアーアーム４２台に付く、下部スタビライザー３４はロアーアーム４９の中間に左右対称にボールジョイント４２四面角に付く下スタビライザー３４と、土台振動回動受ける複数本ショクアプソーバー３７戻り用と、複数本バネ３８戻り部材とする、上部振動回動四面方向抑制バネ４４戻り用とスタビライザー３４と地震動抑制部を使用した免震回動抑制装置、の中心部に装着した、制震回動抑制装置部材５０、部材として請求項１〜３の、前記制震回動抑制装置部材を使用し地震動対策として自動で、元の位置に戻り易くする部材を使用、中心部に装着した、制震、免震回動抑制装置と部材。
【００１１】
請求項１及び２記載の地震動抑制部材とし、前記制震回動抑制装置を取付施工部材集とし継ぎ手と仕口は柱、梁、束、桁、土台各取付施工部材集として加工材支柱の組立する、
部材の支柱先端をつなぎ部材として、上下固定カバー取付用する、加工材支柱と制震回動抑制装置を装着する、外側重着した丸形、制震取付装置と、その外側に角形、重着制震装置台が付く。                                                                        
【００１２】
制震回動抑制装置を８面方向支柱部材として取付施工出来る、丸形、角形の取替支柱の台部材を接続施工する、梁、柱、束取付施工する、支柱用台形繋ぎ板を上下Ｈ台で連接止I形、V形、L形台部材を組立施工方法がある、中心部に支柱組接続されている、８角方向支柱つなき部材において前記８角方向支柱つなぎ部材に、角度を付ける時に８角式斜倒角加工台部材を、斜倒載置される事を特徴を構成する、制震、免震回動抑制装置と部材。                                                                                      
【発明の効果】
【００１３】
本発明においては制震回動抑制装置部材として、支柱梁、桁、束、土台に使用すると支柱損傷を少なくし、かつ建物の倒壊防止に貢献出来る、火災、倒壊に対して制震回動抑制装置部材は部品として再使用と破損部材の交換が出来、再使用出来る、制震回動抑制装置部材の支柱に不具合品部材の取替施工が簡単に出来る、建築物、建設物広い範囲に使用出来る、制震回動抑制装置部材。                                                          
【００１４】
免震回動抑制装置部材として支柱台周り施工の上下に取付施工出来る、支柱戻り装置が付く、使用時期の耐久性が長い間使用出来る、建築物、建設物に幅広く、使用出来る。        
【００１５】
地震動抑制部材として制震回動抑制装置部材とし木材、化学材、鋼材部材の組み合わせで耐久性有る製品が作れる、中心部シャフト上部ゼンマイ下に回動センサーを装着し地震動の測定記録が出来る。                                                            
【図面の簡単な説明】
【００１６】
【図１】本発明に係る制震、免震回動抑制装置部材、側面断面図、
【図２】丸形、制震回動抑制装置支柱取付上部台座部、上面断面図、
【図３】下部加工台、制震回動抑制装置部材、下面断面図、
【図４】柱取付加工台座、つなぎ部、断面側面図、
【図５】制震装置回動抑制バネ装置取付部材、側面断面図、
【図６】免震回動抑制装置部材、作動前と作動中、側面断面図、
【図７】免震回動抑制装置部材、上面断面図、
【図８】免震着座装置取替式台座部材、丸形、角形台、側面図、
【図９】丸形、制震装置加工材支柱取替式台座、上面断面図、
【図１０】角形、制震装置加工材支柱取替式台座、上面断面図、
【図１１】加工材支柱先端上下固定カバー、側面図、
【図１２】８角台形繋ぎＨ台加工ジョイント部材、側面図
【図１３】８面I形、V形、L形つなき台形加工支柱繋ぎ部材、側面図、
【図１４】台形内制震回動抑制装置部材支柱つなぎ部材、側面図、
【図１５】加工材支柱先端合わせカバー上下、支柱固定カバー、側面図、
【図１６】８角式台形内加工支柱取付施工部材、支柱受け台、側面図、
【図１７】制震抑制装置付加工支柱先端前後ジョイント部材、側面図、
【図１８】８角方向制震装置組付け加工材八面支柱台座部材、上面図、
【図１９】斜倒角加工部材支柱組付け台座上部取付施工部材、側面図
【図２０】八面斜倒角梁用加工材支柱取付施工台部材、側面図、
【図２１】斜倒角制震装置梁組立施工８角方向プレート台部材、上面断面図、
【発明を実施するため形態】
【００１７】
図１ないし図５は本発明に係る例示する、制震部材  として円柱状で中が空洞である、外側ケース１７と、前記外側ケース１７ケース内に外側ケースと同心軸である円柱状の内側ケースを外側ケースと空間を有して設置し、前記空間にバネを設置し、前記外側ケースと内側ケースの同心軸に回動抑制主軸コアー部台1を設け、前記回動抑制主軸コアー部台1と内側ケースとの間の空間にバネを設置し、前記外側ケースと内側ケース及び回動抑制主軸コアー部台は基本台１とバネを用意、バネは左右対称に止ケースが弾設、空間部の当たり止め式ケースは自由に上下を動く、で弾設されていることを特徴する制震回動抑制部材と、中心部を貫通する回動抑制主軸コアー部台１が有り、前記回動抑制主軸コアー部台1内の中心部に取付ボルトが設置する、外側ケースと内側ケース部の空間部に一次地震動抑制部が有る、振動空間部上下に回動抑制部材バネを８角方向に複数本上下に取付、回動振動を抑制する一次地震動抑制部と、回動抑制主軸コアー部２Aと内側ケース7の空間部８に二次地震動抑制する、二次回動抑制主軸コアー部２A、二次回動抑制主軸用バネ１１は、８角方向上下に複数本のバネ１１設置し二次地震動抑制部と、主軸部上部に回動センサー１１Aと上下ゼンマイ式バネ９、１０が取り付する、上下回動振動抑制用と中心部の位置に戻る部材として設置する事で三次回動振動を抑制と、下部上下回動振動板台６は上下にバネを複数本取付する、二次地震動を上下回動振動抑制と、外側ケース１７上部にバネ複数本上下に付く、振動空間部を元の隙間に戻すバネとする、一次地震動抑制部と、外側ケース１７上部と制震装置支柱周りにバネ式扇形が複数本取付する、ゴミ、水分入れない、減勢と、上部各柱取付部に支柱取替用台２３が設置する、上部に各交換加工材支柱台２１が複数ボルトで取付施工と、外側ケース底３空間部１２有り底板３が合わせ外側ケース１７を固定を備える、制震回動抑制装置底板部材３を構成。
【実施例】
【００１８】
請求項1および２記載の部材を使用した、 免震回動抑制装置は地震動の制御構造で自動で土台を元の位置に戻す装置として制震回動抑制装置部材５０の上部四面部にスタビライザー３４を四面上下に取付、調整ロッド３６でつなぐ式です、上側スタビライザー３４は十字式の板バネ３５を複数枚重ねる式で先端に取付く、ショクアプソーバー３７とロット３６下側はロアーアーム４８台に付くスタビライザー３４はロアーアーム４８の中間に左右対称にホールジョイントで四面角に付く下スタビライザーと、土台振動回動受ける複数本ショクサブソーバー３７戻り用と、複数本バネ３８戻り部材とする、上部振動回動四面方向抑制バネ４４、戻り用スタビライザー３４部材を使用した免震回動抑制部材と、中心部に装着した、制震回動抑制装置部材５０とする、動きを大きくする部材と地震動抑制として中心部の小刻み地震動で、元の位置に戻り安くする制震回動抑制装置部材とを使用した免震回動抑制装置部材して構成した制震、免震回動抑制装置と部材使用出来る。                                                                    
【００１９】
請求項４地震動抑制とし制震回動抑制装置を使用出来る丸形、角形の取付施工出来る機能を有して支柱取付施工部材集として使用出来る、継ぎ手と仕口は丸形、角形にそれぞれ柱、梁支柱、束、桁、土台振動回動を使用するに、制震装置上部取替支柱として木材、化学材、鋼材部材として使用出来る支柱の組み替え式部材とする、組立施工方法部材集として加工材支柱の８角方向基本台形繋ぎ上下プレートを支柱台部材を使用し梁用斜倒角台座部材図１９図のように合体組立施工方法か出来、使用にI形、V形、T形、L形８角方向基本台を組み替え支柱台周り施工が出来る、支柱は強度を上げる為の材料として、板材、鋼材、化学材加工材支柱の心部に繊維質素材を入れ芯にする、ステンレス針金をを加工し長い筒に固定しセメント、繊維質素材を充填と、錆にくく耐久性が高い部材、支柱に加工し使用する、支柱台周り施工と、柱に制震回動抑制装置部材を使用したつなぎ部材として上下カバーで固定部材とし組付使用出来る、制震回動抑制装置部材を使用することで、破壊、倒壊を少なくする特徴を構成部材としたものである。                                  
【産業上の利用可能性】
【００２０】
図１ないし図５は本発明に係る制震回動抑制装置部材の実施例を示す、図１おいて制震回動抑制装置を地震動抑制の本体を支柱、梁支柱、束、桁と先端土台につなぎ部材として使用、建築物、建設物の橋柱取付部、クッション、緩和材、地震動抑制対策部材として使用する事が出来る制震回動抑制装置部材使用することで破壊、倒壊防止を少なくするための備えとした物である。、                                                        
【符号の説明】
【００２１】
１    回動抑制主軸ボルト部                                                    
１A    制震装置加工材支柱組付け台座                                            
２    二次回動抑制主軸コアー部バネ                                        
２A    二次回動抑制主軸コアー部
３    制震回動抑制装置底板部材
４    主軸調整ナットA.B
５   十字ジョイント回動抑制柱板台
６    下部回動抑制上下ストップ板台
７    内側ケース
８    二次回動抑制空間部
９    主軸上部ゼンマイ式バネ
１０   主軸下部ゼンマイ式バネ
１０A  センサースイッチ配線
１１  二次回動抑制空間部バネ複数本
１１A  回動センサー
１２  回動抑制空間部扇形移動板
１３  回動抑制軸空間部扇バネ用複数本
１３A  一次回動抑制空間部バネ複数本        
１４  一次回動抑制空間部
１５  上部柱取付調整ロックボルトA.B
１６  バネカップA.B
１７  合わせ外側ケース
１８  上部回動抑制柱回りバネ
1 ９   制震回動抑制装置台取付ボルト穴                                       
２０  支柱つなぎナット部ボルトジョイント台
２１  取替式支柱ジョイント台
２２  キー締め付けボルト穴A.B        
２３  制震装置支柱取付ボルト穴
２４  支軸上下当たり受け止台A.B
２５  外側ケース合わせ連結キー溝A.B
２６  外側ケース合わせ締め付けボルト、穴A.B
２７  回動抑制主軸下バネ複数本
２８  下部回動抑制柱板下バネ
２９  丸形、制震装置台座部材
３０  主軸回動抑制移動空間台         
３１  主軸振動用空間部
３２  丸形、角形制震回動抑制装置部材取付ボルトA.B
３３  丸形、角形耐震ケース取付ボルト、ダボ、A.B
３３A  角形、制震装置台座部材
３４  スタビライザーA.B
３５  十字式板バネ
３６  上下スタビライザー抑制調整ロッドA.B
３６A  丸形制震回動抑制装置下部ケース取付ボルトA.B  
３７  バネ付ショクアプソーバー
３８  ばねA.B
３９  免震回動抑制水平内部材A.B
４０  免震回動抑制水平部外側ケース部材A.B
４１  ゼンマイ式バネA.B
４２  リンクボールジョイントA.B
４３  取付台座
４４  振動回動四面方向抑制バネA.B
４５  回動抑制ボール
４６  レベル調整ボルト部材     
４７  十字板押え板バネ台    
４８  ロアーアームA.B
４９  ロアーアーム台
５０  制震回動抑制装置部材
５１  制震回動抑制部材下部取付台上下ボルト穴A.B
５２  制震回動抑制装置台座保護部材取付
５３  縦用支柱丸形、角形制震回動抑制装置取付台座A.B
５４  加工材支柱繋ぎ台固定ピン、キー、ボルト
５５  台形繋ぎ板合わせボルト、ナットA.B
５６  梁用V形加工材切り取り線
５７  梁用I形加工材切り取り線  
５８  ８角形組付け板台  
５９  斜倒角台座繋ぎ板取付ボルト穴A.B
６０  つなぎ部材板ボルト穴A.B
６１  台形繋ぎ台加工部材上下取付台
６２  丸形、角形制震回動抑制装置部材
６３  制震装置支柱繋ぎ固定合わせケース上部部材
６４  制震回動抑制装置台座繋ぎ部ボルト穴
６５  金属加工材支柱合わせつなぎ部固定上下部材
６６  制震装置支柱繋ぎ固定合わせケース下部部材
６７  つなぎ部材合わせ取付ボルトA.B
６８  ボルト部材取替式支柱つなぎ部台
６９  支柱取替式つなぎ台固定部材
７０  制震装置加工材支柱部材固定キー、杭、ダボ用溝
７１  丸形支柱つなぎ部台座取替式ボルト穴
７２  台形８角方向繋ぎ板支柱取付台
７３  台形繋ぎ加工板つなぎ部
７４  制震回動抑制装置台座保護部材  
７５  支柱台形繋ぎ板先ボルト穴支柱台座取付部
７６  台形上下板繋ぎ台加工支柱つなぎ部台座部材
７７  加工材支柱の心部台座部取付ボルトA.B
７８  加工材支柱の心部セメント、繊維質素材
７９  加工材支柱の心部繊維巻きステンレス、鋼材針金A.B
８０  加工材支柱固定部材上下合わせカバー溝口
８１  支柱先端当たり繊維質素材固定台部
８２  加工材支柱先端固定合わせカバー上側部材
８３  加工材支柱先端固定合わせカバー下側部材
８４  加工材支柱の心部繊維巻き鋼材固定スペーサー
８５  先端固定鋼材加工材支柱
８６  斜倒角８角方向支柱取付台座取付部材
８７  制震装置加工材支柱組付け取替式台座
８８  ８角方向上下板固定部材支柱取付台
８９  制震装置部材付加工材支柱
９０  ８角方向外側ケース支柱台固定添え板
９１  ８角方向内側ケース支柱固定台座部材
９２  ８角方向外側枠ステ固定ボルト穴A.B
９３  制震装置取付枠ステ固定ボルト
９４  斜倒角梁支柱台座部材取付ボルトA.B
９５  斜倒角支柱外側ケース板A.B
【図１】
2019070244.tif 000003
【図２】
2019070244.tif 000004
【図３】
2019070244.tif 000005
【図４】
2019070244.tif 000006
【図５】
2019070244.tif 000007
【図６】
2019070244.tif 000008
【図７】
2019070244.tif 000009
【図８】
2019070244.tif 000010
【図９】
2019070244.tif 000011
【図１０】
2019070244.tif 000012
【図１１】
2019070244.tif 000013
【図１２】
2019070244.tif 000014
【図１３】
2019070244.tif 000015
【図１４】
2019070244.tif 000016
【図１５】
2019070244.tif 000017
【図１６】
2019070244.tif 000018
【図１７】
2019070244.tif 000019
【図１８】
2019070244.tif 000020
【図１９】
2019070244.tif 000021
【図２０】
2019070244.tif 000022
【図２１】
2019070244.tif 000023
【手続補正書】
【提出日】平成30年6月28日(2018.6.28)
【手続補正１】
【補正対象書類名】明細書
【補正対象項目名】全文
【補正方法】変更
【補正の内容】
【発明の詳細な説明】
【技術分野】
【０００１】
本発明は、建築物、建設物の制震、免震回動抑制装置と部材に関する。
【背景技術】
【０００２】
近年・大きな規模の地震が多発し、地震が発生した場合、家屋や建築物等の倒壊による人的被害及び経済的な被害が発生している、地震による被害を防ぐ各種構造の制震、免震装置の提案がいそがれる。                                  
【０００３】
従来からの、技術分野は地震動などからの建物を支柱周り保護が固定保護支柱が多い、支柱自体を地震動抑制する保護支柱が少ない、支柱が破壊し地震に耐える、支柱の開発が急がれる。                                                    
【０００４】
従来技術の、支柱台周り施工の土台振動回動免震装着にはゴム製弾性体と土台振動回動制止する部材を別々に使用している、支柱台周り前記土台振動を回動抑制する、部材を一個にまとめた地震動抑制部材の使用製品が待たれている。        建築物、建設物の鋼材部材の再生化がすまない、組立施工物を壊して、再生している、壊さないで組立施工を替え、地震に強い建築物、建設物、再生出来る組立施工方法のシステム化する鋼材部材開発急がれる。
【先行技術文献】
【特許文献】
【０００５】
【特許文献１】特許第３９２１４１８号公報
【特許文献２】特開平１０−３３９３５１号公報
【発明の概要】
【発明が解決しようとする課題】
【０００６】
建築物の耐震設計は横揺れ幅の力と上下地震動に対して対抗、柱補強梁補強増設建物の倒壊は横揺れの力で耐震思想と耐震技術は耐震設計を推進する上で不可分の関係に関してわ、予測が難しい将来の地震動に対してどの程度の強さの地震動を想定して耐震設計を行うべきか、最大地震動に対してどの程度の塑性変形（損傷）を許容してよいか、建物周辺の地形、地盤構造などの局所的影響をどのように耐震設計に取り込んで行くか、経年に伴う老朽化や建物の耐震性能をいかに向上させるか、などが課題とされるのを制震、免震回動抑制装置部材で改善する。
【０００７】
地震動対策に制震、免震構造にするため解決しようとする問題点は、地震動を支柱、梁で破壊から、守る損傷を少なくする方法が少ない、支柱建築物で壊れにくい、再生の出来る建築材の取付部品の製作が出来るか、地震動を制御する回動抑制装置と制震装置、支柱、梁、取付部材を製作し、支柱に装備する事で崩壊する事をふせぐ、制震、免震回動抑制装置、部材の作りで解決しようとする。    
【課題を解決するための手段】
【０００８】
目的を達成するために請求項１に示す発明は、 制震部材として円柱状で中が空間である、外側ケース１７と、前記外側ケースと同心軸である円柱状の中が一次回動抑制空間部１４に内側ケース７を、外側ケース１７内に一次回動抑制空間部１４を有して設置し、前記一次回動抑制空間部１４に一次回動抑制空間部バネ１３Aを設ける、前記外側ケース１７と内側ケース７の同心軸上に上部回動抑制太バネ１８設置した、前記外側ケース１７と内側ケース７の同心軸位置にとの間の空間８にバネ２を設置し、前記外側ケース17と内側ケース７及び回動抑制主軸コア部マウント台２Aと前記二次回動抑制主軸コア部マウント台2Ａと内側ケース７との間の二次回動抑制空間部８に二次回動抑制バネ２を設置する、二次回動抑制主軸コアー連結部台２７は、二次回動抑制主軸コアー部マウント台２Aと連通回動抑制跨嵌板６に載せ付ける、内側ケース７の回動抑制に中間部に外側ケース１７内側切欠き部が有り、上下当たり止めとして回動抑制当たり止めバネ台１１と支柱上下当たり止め台２４として、支柱の地震動抑制する事を備えたことを特徴とする。                                                                 
【０００９】
請求項２に示す発明は、一次回動抑制空間部バネ１3A一方つばを有する円筒状の管で有る対向する一次、二次回動抑制空間部１４、８は回りの外バネカップ１６の内側に摺動内バネカップ１６Aが収納され、前記外バネカップ１６のつば部を対向させている事を備える。二次回動抑制主軸コアー部２Aに設置したボルト４の上部に回動センサー11Aが付ボルト４上部ゼンマイ式バネ９、と下部ゼンマイ式バネ１０がボルト４に接続されている、下部土台と底板３がバネで接続されている事を備えたことを特徴とする。                                          
【００１０】
請求項３に示す発明は、請求項１及び２記載の部材を使用した、地振動の抑制を、免震回動抑制装置が自動で地震時、地振動抑制と土台を元の位置に戻す装置として前後左右の地震動の動きを、回動抑制する、振動回動四面方向圧縮バネ４４の動きはバネに圧力を押圧し地震動抑制することが出来る、四面方向バネ４５台の下に押圧する、上側四面スタビライザー３４と下側四面スタビライザー３４Ａをボール・ジョイント４２が繋ぐ連結調整ロッド３６を押圧し、スタビライザーのねじり力とねじり戻り力を利用する事で地震動抑制し建物を元の位置に戻す動作をする、水平移動バネ部圧縮台４０で四面方向圧縮移動台４５で地震動時の動きを抑制する、十字式の板バネ３５の先端取付部と、上側四面スタビライザー３４とバネ付ショクアプソーバー３７先端にボール・ジョイント４２部の取付、先端に連結調整ロッド３６連結ボール・ジョイント４２が三個が固めて付き、連結調整ロッド３６下側ロアーアーム４８に連結される、下側四面スタビライザー３４Ａはロアーアーム４８が連動して動く、ロアーアーム４８の取付はロアーアーム台４９に取付している、ロアーアーム４８の中間に左右対称にボール・ジョイント４２が四面角に付く、下側四面スタビライザー３４Ａと連動して動く、ジョイントと下側四面スタビライザー３４Ａと連動して動く、地震動を抑制し振動回動を抑制する、バネ付ショクアプソーバー３７とは、地震動戻り用として押圧し、地震動抑制と元の位置に戻す作用する事を備える、中心部制震装置移動上下台３９、３９Ａの保護太バネ３８を使用し上下台の圧力を調整する事で、制震回動抑制装置５０を保護材とする保護太バネ３８を使用する、中の制震回動抑制装置５０部は小刻み地震動を回動抑制に備える、土台支柱部の振動回動する四面方向抑制に十字式板バネ３５は戻り用と重量保護用とした先端取付部を、連結調整ロッド３６の押圧する事で、バネ付ショクアプソーバー３７の作用で減勢し戻り力になってい、地震動対策として自動で、元の位置に戻り易くする地震動抑制材と免震回動抑制装置台４３を備えたことを特徴とする。
【００１１】
請求項４に示す発明は、請求項１及び２記載の地震動抑制部材としの前記制震回動抑制装置を取付建築物、建設物部材とし継ぎ手と仕口の組立する方法に柱、梁、束、桁、土台各取付部材とし、角形制震装置取付調整台３３Ａ外側ケースの中に制震回動抑制装置５０が丸形耐震取付台にボルト、ダボ、キーで装着し上部に柱の取替式支柱取付台２１が付く、下部に角度を付ける事の出来る台が取付ボルト穴２９付く、角形制震装置取付調整台３３Ａを備える。                    丸形制震回動抑制装置保護材７４とする、上部は支柱の取替式支柱取付台２１を備える。  
角形制震装置取付調整台３３Ａとする、内側に重着した制震回動抑制装置５０の取付は外に制震装置台保護材７４が有り、その外側に重着した角形制震装置取付調整台３３Ａは重着の為に振動強度が上がり支柱の使用に対応する角形制震装置取付調整台３３Ａを備える。                                              加工支柱先端部の繋ぎ止め合わせ材とする、上下部材は跨嵌に繋ぎ止め合わせ部材は支柱繋ぎ合わせる為に支柱繋ぎ合わせ上部材６３と支柱繋ぎ合わせ下部材６６を支柱の先端部に跨嵌し咬止して合わせボルト、キーで止める事を備える。  
【００１２】
台形繋ぎ上板下板H台６１とする、前記台形繋ぎ上板下板H台６１を上下板として台形繋ぎ板支柱調整板台７２上下板で挟み柱台の左右対称に調整出来る楕円ワッシャーをセンター・ボルトに装着し台形柱調整合わせ板ボルト５５を使用し上下板に咬止して支柱台にワッシャーを挟み調整しボルトを締め付ける、台形繋ぎ支柱調整板７２を繋ぎ止め各形の用途に合わせ装着して備える。              台形繋ぎ支柱調整板７２とする、H台で繋ぐ事で支柱台周り組立を連接止I形に組む台形板組付け線５７、V形に組む台形板組付け線５６、L形に組む台形板組付け線７５の位置に支柱を取付できる事を備える。                              ８角台形繋ぎ板支柱台５８の上下板は台形繋ぎ上板下板H台６１で繋ぐ事ができ、８角台形繋ぎ板支柱台５８は中に介在した角形制震装置取付調整台３３Ａに支柱の角度を左右のボルトにカム付で左右の移動調整することを備える。
支柱金属繋ぎ加工材として、支柱繋ぎ咬止上部下部材６５とする、上下二組部材として、支柱繋ぎ咬止上部材６５と下部材６５合わせ咬止材としてキーとピン、ボルトで跨嵌して支柱先端部と制震回動抑制装置５０支柱先端を丸形、角形の取替支柱の部材を支柱と接続をする事が出来る、外側に載置し支柱繋ぎ載置合わせ上部材６３と支柱繋ぎ載置合わせ下部材６６を咬止し雨水や錆の発生を防ぐ事を備える。                                                                  支柱取替式繋ぎ簡単取付台６９とする、支柱の取替を簡素化する載置方法は太ねじ式台６８で外枠にねじ込み、ロックして６９に組付け、支柱繋ぎ合わせ簡単取付台ボルト、キー６７の取付で咬止する、周りを跨嵌するために支柱繋ぎ合わせ上部材６３と支柱繋ぎ合わせ下部材６６を合わせ固定する事を備える。        台形繋ぎ上板下板台７２は上部に載嵌出来る斜塔角部材を載せ、８角方向に組付けする事が出来る、斜塔角台繋ぎ取付台８８を載置する事を特長とする事を備える。                                                                    斜塔角８角繋ぎ支柱調整台８２は、支柱の組立に角度左右、上下調整台とする台形繋ぎ上下板調整台穴５９の、上部に載せる斜塔角８角支柱調整台８３支柱を先端部に組み付け調整する事を備える。                                    角形制震装置調整台３３Ａを斜塔角組付繋ぎ調整台８７に８角方向取付、つなき合わせ板で調整しボルトと外側合わせ板キー溝２５で組付ける、上部と下部に斜塔角支柱の角形制震装置取付調整台３３Ａを載設出来る、左右に８角方向に周設出来る事を備えた事を特徴とする。
【発明の効果】
【００１３】
本発明においては制震回動抑制装置部材５０としての、支柱は梁、桁、束、土台に使用すると支柱損傷を少なくし、かつ建物の倒壊防止に貢献出来る部材として、倒壊に対応して、角形制震装置取付調整台３３Ａは使用じの角形と丸形支柱材の交換が使用が出来る、制震回動抑制装置部材５０の支柱取付に部材の部分取替施工が出来、在来建物も簡単に取付が出来る、建築物、建設物の制震装置として広い範囲の使用として、優れた効果を出す。                                    
【００１４】
免震回動抑制装置部材として建物の土台周りに取付施工出来る、支柱土台の戻り装置が一個で地震動抑制部材として働く、使用期間の耐久性が有り長い間使用出来る、建築物、建設物に幅広く、応用出来る。                                
【００１５】
地震動抑制部材として支柱の制震回動抑制装置５０取付部材とし木材、化学材、鋼材部材の組み合わせで免震回動抑制装置４３付耐久性有る支柱製品が作れ再生出来る部材として使用、中心部ボルト部４、に回動センサー１１Aを装着し地震動の測定記録が出来る装置としてコストの低減化が図れる。                      
【図面の簡単な説明】
【００１６】
【図１】制震回動抑制装置部材、側面断面図、
【図２】制震装置支柱取付上部台部、上面断面図、
【図３】制震装置下部繋ぎ台、下面断面図、
【図４】柱取付台、つなぎ部材、断面側面図、
【図５】振動抑制バネ装置取付部、側面断面図、
【図６】免震回動抑制装置部材、作動前と作動中、側面断面図、
【図７】免震回動抑制装置部材、上面断面図、
【図８】角台制震装置装着取付台、側面図、
【図９】丸形、制震装置支柱取付け式台、上面断面図、
【図１０】角形、制震装置支柱取付け式台、上面断面図、
【図１１】支柱先端上下固定カバー、側面図、
【図１２】８角台形繋ぎＨ台、側面図
【図１３】８面I形、V形、L形つなき台形加工支柱繋ぎ部材、側面図、
【図１４】台形内制震回動抑制装置部材支柱つなぎ部材、側面図、
【図１５】加工材支柱先端合わせカバー上下、支柱固定カバー、側面図、
【図１６】８角式台形内加工支柱取付施工部材、支柱受け台、側面図、
【図１７】制震抑制装置付加工支柱先端つなぎ部材、側面図、
【図１８】８角方向制震装置組付け八面支柱台部材、上面図、
【図１９】斜倒角組立部材支柱台連結取付部材、側面図
【図２０】８角方向斜倒角組立材支柱取付台部材、側面図、
【図２１】８角方向斜倒角角度調整台部材、上面断面図、
【発明を実施するための形態】
【００１７】
以下に、本発明の実施形態を添付図面を参照して詳細に説明する。図１、ないし図５は本発明に係る、制震回動抑制装置５０として実施形態を示す概念図であり、円柱状で中が空洞である、外側ケース１７と、前記外側ケース１７と同心軸である円柱状の内側ケース７を設置し、外側ケース１７と内側ケース７の間一次回動抑制空間部１４に空間を有して設置し、一次回動抑制空間部バネ１３Ａを設置し、前記外側ケースと内側ケースの同心軸に二次回動抑制主軸コアー部マウント台2Ａを設け、前記二次回動抑制主軸コアー部マウント台２Ａと内側ケース7との間の空間に二次回動抑制バネ２を設置し、前記外側ケースと内側ケース及び回動抑制主軸コアー部マウント台２Ａはボルト部とし図５は、空間部に８．１４に振動回動抑制バネを用意した、空間部８、１４バネを左右対称にバネカップ１６が埋設、空間部の地震動抑制材として自由に回動抑制をする、バネカップ１６の内側に摺動するカップ１６Aが付く、埋設されていることを特徴する回動抑制材と、中心部を振動回動抑制する、二次回動抑制主軸コアー部マウント台２Ａがボルト４に付き、外側ケース17と内側ケース７の空間部にバネカップ１６で一次地震動抑制する、振動空間部上下に回動抑制材バネカップ１６を８角方向に複数本上下に取付る、回動振動を抑制する、二次地震動抑制する、二次回動抑制主軸コアー部マウント台２A、二次回動抑制バネ部２は、８角方向上下に複数本のバネ２設置し二次地震動抑制材とする、ボルト４上部に回動センサー11Aで地震動の測定をする、上下ゼンマイ式バネ９、１０が取り付け振動回動抑制する、上下回動振動抑制用と中心部位置に戻る部材として設置する事で、突き上げる三次回動振動を抑制として、連通回動振動跨嵌板６は下部にバネを複数本取付する、二次地震動を上下回動振動抑制と、外側ケース１７上部に太バネ複数本上部に付く、振動空間部を元の隙間に戻すバネとする、一次地震動抑制部として外側ケース１７に二カ所当たり止め式に１１、２４突起付いている、図２は、外側ケース１７上部のA-A’制震装置支柱周りにバネ式扇形１２が複数本取付する、ゴミ、水分入れない、減勢する、図４は、上部各柱取付部に支柱取替用台２３が設置する、上部に各交換加工支柱台２１が複数ボルトで取付出来る、図３は、外側ケース底３空間部が有り底板３が合わせ外側ケース１７を固定する、制震回動抑制装置底板部材３を取替式支柱取付する事を備える。
【００１８】
請求項1および２記載の部材を使用した、 免震回動抑制装置の作動は地震動時の回動抑制する仕組みは自動で建物の土台を元の位置に戻す装置として図６、図７の、作動の仕組みは、十字式板バネ３５の下部に上側四面スタビライザー３４をボール・ジョイント４２に取付き、連結調整ロッド３６で繋ぐ式です、四個組付けのジョイントとして十字式板バネ３５の先端取付部と上側四面スタビライザー３４、先端と連結調整ロッド３６先端とバネ付ショクアプソーバー３７がセットになっている、下側部には、バネ付ショクアプソーバー３７は免震回動抑制装置台４３の四隅に複数本固定です、連結調整ロット３６は四隅つき下側はボール・ジョイント４２がロアーアーム４８の先端に付くボール・ジョイント４２、下側四面スタビライザー３４Ａは、ロアーアーム４８の中間に左右対称にホールジョイント４２で四隅のロアーアーム４８に付く下側スタビライザー３４Ａて押圧し、ゆっくり戻る作用をする。地振動回動を受ける上部十字式板バネ３５はバネ付ショクサブソーバー３７戻り用として作動する、上部振動回動四面方向圧縮バネ４４は、振動回動四面方向にシリンダ式圧縮バネを装備４４を使用し作動の振動回動を抑え動き小さくし地振動回動抑制する、免震回動抑制装置台４３材の、中心部に装着した、制震回動抑制装置５０の小刻み地震動を制御する、回りの動きを大きくする部材と中心部の小刻み地震動を抑えて、元の位置に戻り安くする組付けにした、五個の中に十字式板バネ３５と振動回動四面方向圧縮バネ４４と上下スタビライザー３４、３４Ａとバネ付ショクアプソーバー３７と制震回動抑制装置５０で回りの地震動回動抑制を使用した免震回動抑制装置とし小型に構成した、免震作用を発揮させる元に戻る地震動回動抑制装置とする。              
【００１９】
請求項４地震動抑制とし制震回動抑制装置５０を支柱に使用出来丸形、角形の取付施工出来る機能を有して支柱組み付ける部材として使用出来る、図８は、継ぎ手と仕口は支柱繋ぎ丸形図９として、図１０は角形にそれぞれ柱、梁支柱、束、桁、建物の振動回動を抑制し支柱繋ぎするに、制震装置取付する取替式支柱取付台２１、図１５、と図１７の支柱繋ぎ支柱として付く、木材、化学材、鋼材として未来の使用出来る支柱の組み替え式材とする材料として開発取付できる、組立部材とし図１４、図１６は、８角方向台形繋ぎ上下板材は図１２のH台を使用し支柱台部材を組付けする、梁用としての斜倒角台つなぎ調整８７部材は、１９図のように合体組付け方法か出来る、図１３は使用にI形、V形、T形、L形８角方向繋ぎ台を組み替え支柱台周り施工が出来る、支柱台周り施工と、柱に制震回動抑制装置５０部材を使用し図１１は、先端つなぎ部材として上下カバーを咬止部材とし組付使用する事で水や湿気を防ぐ、支柱繋ぎに使用することで、破壊、倒壊を少なくする特徴を部材としたものである。                                
【産業上の利用可能性】
【００２０】
図１おいて制震回動抑制装置５０を地震動抑制での使用で建築技術の変革する事を進める事ができる、建設資材の制震装置の部材での使用で、災害を少なくする事の技術発明が急がれる、支柱、梁支柱、束、桁と先端支柱につなぎ部材として使用、建築物、建設物の橋柱土台部、振動抑制材、緩和支柱材、地震動抑制部材として使用する事が出来る、制震回動抑制装置部材使用することで破壊、倒壊防止をなくするための備えとした部材の開発が急がれる。                      
【符号の説明】
【００２１】
１    回動抑制主軸ボルト部  
１A    制震装置加工材支柱組付け台
２      二次回動抑制バネ部   
２A  二次回動抑制主軸コアー部マウント台
３   制震回動抑制装置底板      
４    ボルト調整ナット
５   支柱取付台ボルト、穴
６    連通回動抑制跨嵌板
７      内側ケース
８    二次回動抑制空間部
９    主軸上部ゼンマイ式バネ
１０   主軸下部ゼンマイ式バネ
１０A  センサースイッチ配線
１１  上下当たり止め空間バネ台
１１A  回動センサー
１２  回動抑制空間部扇形板
１３  回動抑制軸空間部扇バネ用
１３A  一次回動抑制空間部バネ
１４  一次回動抑制空間部
１５  上部柱取付調整ロック、ナット
１６  バネカップ
１６A摺動内バネ   
１７  合わせ外側ケース
１８  上部回動抑制太バネ
1９   角度台取付ボルト穴 
２０  支柱つなぎボルト部
２１  取替式支柱取付台
２２  キー締め付けボルト穴
２３  支柱取付ボルト穴
２４  上下当たり受け止台
２５  支柱台咬止連結ボルト、キー溝
２６  外側合わせ締め付けボルト、穴
２７  二次回動抑制コアー連結部台
２８  下部回動抑制柱板下バネ
２９  角形制震装置調整ボルト穴
３０  太バネ下部摺動台      
３１  支柱台調整楕円ワッシャー
３２  丸形底台合わせ取付ボルト
３３  丸形、角形耐震箱取付ボルト、ダボ、キー
３３A  角形制震装置取付調整台
３４   上側四面スタビライザー
３４A下側四面スタビライザー   
３５  十字式板バネ
３６  連結調整ロッド
３６A  丸形制震回動抑制装置下部取付ボルト  
３７  バネ付ショクアプソーバー
３８  太バネ
３９  太バネ上部摺動台  
４０  水平移動圧縮シリンダー台
４１  上下部ゼンマイ式バネ
４２  ボール・ジョイント
４３  免震回動抑制装置台
４４  振動回動四面方向圧縮バネ
４５  四面方向圧縮移動台
４６  レベル調整ボルト部材
４７  十字板押え板バネ台  
４８  ロアーアームA.B
４９  ロアーアーム台
５０  制震回動抑制装置
５１  支柱下部調整取付台ボルト穴
５２  繋ぎ止め保護台ピン、ボルト
５３  縦支柱丸形、角形制震装置取付台
５４  合わせ板制震装置調整キー溝、ボルト
５６  梁用V形組立切り取り線
５７  梁用I形組立切り取り線  
５８  ８角台形繋ぎ板支柱台  
５９  斜倒角台繋ぎ上下板調整穴台
６０  つなぎ板調整台取付穴
６１  台形板繋ぎ上板下板Ｈ台、
６２  斜塔角支柱外側調整台
６３  支柱繋ぎ合わせ上部材
６４  支柱繋ぎ部ボルト穴
６５  支柱合わせつなぎ部咬止上部下部材
６６  支柱繋ぎ合わせ下部材
６７  支柱つなぎ材取付ボルト、キー、
６８  太ねじ取替支柱つなぎ台
６９  支柱取替式つなぎ簡単取付台
７０  支柱繋ぎ固定溝キー、杭、ダボ
７１  支柱つなぎ部組付けキー、ダボ、ボルト
７２  台形繋ぎ板支柱調整台   
７３  台形繋ぎ調整組付け板
７４  制震装置台保護材  
７５  台形繋ぎ板調整台穴
７６  台形上下板咬止調整支柱台
７７  繋ぎ台取付ボルト
７８  支柱の内部セメント部、
７９  支柱の内部、鋼材、鉄金
８０  支柱材組付け合わせ部  
８１  支柱先端当たり弾性体部
８２  斜倒角８角繋ぎ支柱調整台
８３  斜塔角８角支柱調整繋ぎ台
８４  鉄筋コンクリート抑え台  
８５  ８角方向内側ケース支柱調整台
８６  ８角方向外側繋ぎ調整台
８７  斜塔角組付繋ぎ止め調整台
８８  斜倒角台繋ぎ部咬止台
【手続補正２】
【補正対象書類名】特許請求の範囲
【補正対象項目名】全文
【補正方法】変更
【補正の内容】
【特許請求の範囲】
【請求項１】
制震部材として円柱状で中が空間である外側ケース１７と、前記外側ケース１７と同心軸である円柱状で中が一次回動抑制空間部１４に内側ケース７を、外側ケース１７内に一次回動抑制空間部１４を有して設置し、前記一次回動抑制空間部１４に一次回動抑制空間部バネ１３Aを設け、上部に回動抑制太いバネ１８設置した、前記外側ケース１７と内側ケース７の同心軸位置に二次回動抑制主軸コア部マウント台２Aを設け、前記二次回動抑制主軸コア部マウント台２Aと内側ケース７との間の二次回動抑制空間部８に二次回動抑制バネ２を設置する、二次回動抑制主軸コアー連結部台２７は、二次回動抑制主軸コアー部マウント台２Aと連通回動抑制跨嵌板を載せ付ける、  内側ケース７の回動抑制に中間部に外側ケース１７内側切欠き部が有り、上下当たり受け止めとして回動抑制当たり止めバネ台１１と支柱上下当たり受け止め台２４で、支柱の地震動抑制する事を備える、制震、免震回動抑制装置と部材。                  
【請求項２】
前記一次回動抑制空間部バネ１３Aはつばを有する円筒状の管で有る対向する一次、二次回動抑制空間部１４、８は回りの外バネカップ１６の内側に摺動内バネカップ１６Aが収納され、前記外バネカップ１６のつば部を対向させている事を備える。二次回動抑制主軸コア部２Aに設置したボルト４の上部に回動センサー１１Aが付、ボルト４上部ゼンマイ式バネ９、下部ゼンマイ式バネ１０がボルト４で接続されている、内側ケース７下部土台と底板３が下部回動抑制柱下バネ２８で接続されている事を備える、請求項１記載の、制震、免震回動抑制装置と部材。
【請求項３】
請求項１および２記載の部材を使用した、地震動の抑制を、免震回動抑制装置が自動で地震時、地震動抑制と土台を元の位置に戻す装置と前後左右の地震動の動きを回動抑制する、振動回動四面方向抑制バネ４４の動きはバネに圧力押圧し地震動抑制することが出来る、四面方向バネ４５台の下に押圧する、上側四面スタビライザー３４と下側四面スタビライザー３４Aをボール・ジョイント４２繋ぐ連結調整ロッド３６を押圧し、スタビライザーのねじり力とねじり戻り力を利用する事で地震動抑制し建物を元の位置に戻す動作をする、水平移動部圧縮バネ４０で四面方向地震動時の動きを抑制する、、十字式板バネ３５の先端取付部と、上側四面スタビライザー３４とバネ付ショクアプソーバー３７先端にボール・ジョイント４２部の、先端に連結調整ロッド３６連結ボール・ジョイント４２が三個が固めて付き、連結調整ロッド３６繋ぎ下側ロアーアーム４８に連結される、下側四面スタビライザー３４Aはロアーアーム４８が連動して動く、ロアーアーム４８の取付はロアーアーム台４９に取付している、ロアーアーム４８の中間に左右対称にボール・ジョイント四面角に付く、下側四面スタビライザー３４Aと連動して動く、地震動を抑制し振動回動を抑制する、バネ付ショクアプソーバー３７とは地震動戻り用として押圧し、地震動抑制と元の位置に戻す作用することを備える、中心部制震装置移動上下台３９、３９Ａの中に保護太バネ３８は上下台の軸架の調整をする事で中の、制震回動抑制装置５０を保護材とする保護太バネ３８を使用する、中の制震回動抑制装置５０部は小刻み地震動を回動抑制に備える、土台支柱部の振動回動を抑制する四面方向抑制する十字式板バネ３５は戻り用と重量保護用とし、バネ先端の連結調整ロッド３６の押圧することでバネ付ショクアプソーバー３７が減勢し戻り力になっている、地震動対策として自動で元の位置に戻り易くする、地震動抑制材を使用した免震回動抑制装置台４３を備える、請求項１又は２記載の制震、免震回動抑制装置と部材。  
【請求項４】
請求項１及び２記載の地震動抑制部材としの前記制震回動抑制装置５０を取付建築物、建設物部材集として継ぎ手仕口の組立施工方法に柱、梁、束、桁、土台各取付部材集とし、支柱繋ぎ部材に制震回動抑制装置５０を装着し組付け出来る部材として、角形制震装置取付調整台３３Aのケースの中に制震回動抑制装置５０が丸形耐震装置を取付ボルト、ダボ、キー３３で装着し上部に柱の取替式支柱取付台２１が付く、下部に角度を付ける事の出来る台に角度台取付ボルト穴１９付く、角形制震装置取付調整台３３Aを備える。 角形制震装置調整ボルト穴２９とする、支柱の左右の角度調整が出来る、取替式支柱取付台２１を備える。
角形制震装置取付調整台３３Aとする、内側に重着した丸形、制震回動抑制装置５０の取付は中と、その外側に重着した角形制震装置取付調整台３３Aの為、角形制震装置取付調整台３３Aの強度上がり丸形、角形支柱の選定、使用に対応する角形制震装置取付調整台３３Aを備える。
加工支柱先端部の繋ぎ止め合わせ部材とする、上下部材は跨嵌に繋ぎ止め合わせ部材は支柱繋ぎ合わせ支柱繋ぎ合わせ上部材６３と支柱繋ぎ合わせ下部材６６を支柱の先端に跨嵌し咬止て合わせ固定ピン、キー、ボルト５４で止める事を備える。
台形繋ぎ上板下板Ｈ台６１とする、前記台形繋ぎ上板下板Ｈ台６１を上下板で台形繋ぎ調整板７２で挟み柱の左右対称に調整出来る楕円ワッシャーをセンターボルトの台形柱調整合わせ板ボルト５５を使用した板で挟み締め付ける、台形繋ぎ調整板７２を繋ぎ止め各形の用途に合わせ使用に、備える。
台形繋ぎ板支柱調整台７２とする、台形板繋ぎ上板下板Ｈ台６１で繋ぐ事で支柱台周り施工をI形に組む台形板組付け線５７、V形に組む台形板組付け線５６.L形に組む台形板組付け線７５の位置に支柱を取付できる事を備える。
８角台形繋ぎ板台５８を台形繋ぎ上下板Ｈ台６１で繋ぐ事ができ、８角台形繋ぎ板支柱台５８は中に介在し支柱の角度を左右のボルトカム付で左右の調整をすることを備える。 金属加工支柱繋ぎ固定上下部材６５とする、金属支柱固定上部下部材６５と同じ形の下部部材６５を合わせ咬止しキー、ピン、ボルトで固定し支柱先端部どうしを固着する、支柱先端を丸形、角形の取替支柱として、角形制震装置取付調整台３３Ａを支柱と接続をする事が出来る、外側に支柱繋ぎ固定合わせ上部材６３と支柱繋ぎ固定合わせ下部材６６を咬止し雨水分や錆の侵入を防ぐことを備える。 支柱つなぎ合わせ取付式６７とする、支柱取付簡素化する載置方法はボルト、ダボ、キーの取付式で咬止し、外側を支柱繋ぎ合わせ上部材６３と支柱繋ぎ合わせ下部材６６を合わせ固定する事を備える。
台形繋ぎ上板下板台５８は支柱を８角方向に台形繋ぎ上板下板６１で取付施工とする、縦支柱丸形、角形制震装置取付台５３は上下部に載置出来る、斜倒角加工材部材９６を載置する事を特徴をする、する事を備える。斜塔角８角方向支柱調整台８６は、支柱の組立に角度左右、上下調整台とする、台形繋ぎ上下板調整台５８の、上部に載せる、支柱の中に上下部の制震回動抑制装置５０を組付け、支柱の先端部組み付けする事を備える。 角形制震装置調整台３３Aを斜塔角組付け調整台８７に８角方向取付、つなき合わせ板として台形板繋ぎ上板下板Ｈ台６１で組付け斜塔角８角方向支柱の位置を組み替えする事が出来る、ボルトと合わせ外側ケース１７は連結ボルト、キー溝２５で組付ける、支柱の角度調整を付ける為の角形制震装置取付調整３３Aが付き、上部と下部に斜塔角支柱や制震回動抑制装置５０を載設出来る、左右に８角方向に周設出来る事を備える。請求項１又は２記載の制震、免震回動抑制装置と部材。
【手続補正３】
【補正対象書類名】図面
【補正対象項目名】全図
【補正方法】変更
【補正の内容】
【図１】
2019070244.tif 000024
【図２】
2019070244.tif 000025
【図３】
2019070244.tif 000026
【図４】
2019070244.tif 000027
【図５】
2019070244.tif 000028
【図６】
2019070244.tif 000029
【図７】
2019070244.tif 000030
【図８】
2019070244.tif 000031
【図９】
2019070244.tif 000032
【図１０】
2019070244.tif 000033
【図１１】
2019070244.tif 000034
【図１２】
2019070244.tif 000035
【図１３】
2019070244.tif 000036
【図１４】
2019070244.tif 000037
【図１５】
2019070244.tif 000038
【図１６】
2019070244.tif 000039
【図１７】
2019070244.tif 000040
【図１８】
2019070244.tif 000041
【図１９】
2019070244.tif 000042
【図２０】
2019070244.tif 000043
【図２１】
2019070244.tif 000044
【手続補正書】
【提出日】平成30年7月5日(2018.7.5)
【手続補正１】
【補正対象書類名】図面
【補正対象項目名】全図
【補正方法】変更
【補正の内容】
【図１】
2019070244.tif 000045
【図２】
2019070244.tif 000046
【図３】
2019070244.tif 000047
【図４】
2019070244.tif 000048
【図５】
2019070244.tif 000049
【図６】
2019070244.tif 000050
【図７】
2019070244.tif 000051
【図８】
2019070244.tif 000052
【図９】
2019070244.tif 000053
【図１０】
2019070244.tif 000054
【図１１】
2019070244.tif 000055
【図１２】
2019070244.tif 000056
【図１３】
2019070244.tif 000057
【図１４】
2019070244.tif 000058
【図１５】
2019070244.tif 000059
【図１６】
2019070244.tif 000060
【図１７】
2019070244.tif 000061
【図１８】
2019070244.tif 000062
【図１９】
2019070244.tif 000063
【図２０】
2019070244.tif 000064
【図２１】
2019070244.tif 000065
【手続補正書】
【提出日】平成30年11月1日(2018.11.1)
【手続補正１】
【補正対象書類名】明細書
【補正対象項目名】全文
【補正方法】変更
【補正の内容】
【発明の詳細な説明】
【発明の詳細な説明】
【０００１】
本発明は、建築物、建設物の制震、免震回動抑制装置と部材に関する。
【背景技術】
【０００２】
近年・大きな規模の地震が多発し、地震が発生した場合、家屋や建築物等の倒壊による人的被害及び経済的な被害が発生している、地震による被害を防ぐ各種構造の制震、免震装置の提案がいそがれる。                                  
【０００３】
従来からの、技術分野は地震動などからの建物を支柱周り保護が固定保護支柱が多い。対象部材間を連結するダンパー用鋼板が破断した場合であっても、一対の相対変位を規制することを可能にした特許文献有りまず。                        
【０００４】
従来技術の、支柱台周り施工の土台振動回動免震装着にはゴム製弾性体と土台振動回動制止する部材を別々に使用している、支柱台周り前記土台振動を回動抑制する、部材を一個にまとめた地震動抑制部材の支柱製品が待たれている。建築物、建設物の鋼材部材の再生化が少ない、組立施工物を壊して、再生している、壊さないで組立施工を替え、地震に強い建築物、建設物、再生出来る組立施工方法のシステム化する素材、部材の開発急がれる。                                
【０００５】
【特許文献１】特開２０１５−１６６５２８号公報
【発明の概要】
【発明が解決しようとする課題】
【０００６】
建築物の耐震設計は横揺れ幅の力と上下地震動に対して対抗、柱補強梁補強増設建物の倒壊は横揺れの力で耐震思想と耐震技術は耐震設計を推進する上で不可分の関係に関してわ、予測が難しい将来の地震動に対してどの程度の強さの地震動を想定して耐震設計を行うべきか、最大地震動に対してどの程度の塑性変形（損傷）を許容してよいか、建物周辺の地形、地盤構造などの局所的影響をどのように耐震設計に取り込んで行くか、経年に伴う老朽化や建物の耐震性能をいかに向上させるか、など制震、免震装置部材作りが課題とされる。
【０００７】
地震動対策に制震、免震構造にするため解決しようとする問題点は、地震動を支柱、梁で破壊から、守る損傷を少なくする方法が少ない、支柱建築物で壊れにくい、再生の出来る建築材の取付部品の製作が出来るか、地震動を制御する回動抑制装置と制震装置、支柱、梁、取付部材を製作し、支柱に装備する事で建築物の倒壊する事をふせぐ、制震、免震回動抑制装置、で解決しようとする。        
【課題を解決するための手段】
【０００８】
制震部材として円柱状で中が空間である、外側ケース１７と、前記外側ケースと同心軸である円柱状の中内側ケース７を、外側ケース１７内に一次回動抑制空間部１４を有して設置し、前記一次回動抑制空間部１４に一次回動抑制空間部バネ１３Aを設ける、前記外側ケース１７と内側ケース７の同心軸上に上部回動抑制太バネ１８設置した、前記外側ケース１７と内側ケース７の同心軸位置にとの間の空間８にバネ２を設置し、前記外側ケース17と内側ケース７及び回動抑制主軸コア部マウント台２Aと前記二次回動抑制主軸コア部マウント台2Ａと内側ケース７との間の二次回動抑制空間部８に二次回動抑制バネ２を設置する、二次回動抑制主軸コアー連結部台２７は、二次回動抑制主軸コアー部マウント台２Aと連通回動抑制跨嵌板６に載せ突き上げ調整を付ける、内側ケース７の回動抑制に中間部に外側ケース１７内側切欠き部が有り、上下当たり止めとして回動抑制当たり止めバネ台１１と支柱上下当たり止め台２４として、支柱の地震動抑制する事を備える制震回動抑制装置５０からなる制震、免震回動抑制装置。               
【０００９】
前記一次回動抑制空間部バネ１3A及び二次回動抑制バネ２は一次、二次回動抑制空間部１４、８で一対のつばを有する円筒状の管で有る外バネカップ１６のつば部を対向させ、該外のバネカップ１６の内側に摺動内バネカップ１６Aが収納され、二次回動抑制主軸コア部２Aに設置した回動抑制主軸ボルト部１の上部に回動センサー11Aが地震動測定記録が付、上部ゼンマイ式バネ９、下部ゼンマイ式バネ１０が回動抑制主軸ボルト部１の振動を抑えるので接続されていて、内側ケース７下部土台と底板３が下部回動抑制柱下バネ２８でで接続されている事を備える、制震、免震回動抑制装置。                                              
【００１０】
前記制震回動抑制装置５０の上部の四面に取付け、十字式の板バネ３５を複数枚重ねるバネ先端に取付けた上側四面スタビライザー３４と、該上側四面スタビライザー３４とボール・ジョイント４２接続するロッド３６の下端にボール・ジョイント４２が接続し、下端ロアーアーム４８に連結した、四面に付く、下側四面スタビライザー３４Ａは取付部にヒネり調整付と、一端を連結調整ロッド３６上端にボールジョイント４２接続し土台振動回動受けるバネ付ショクアプソーバー３７と保護太バネ３８と、振動回動四面方向圧縮バネ４４とを備えた制震、免震回動抑制装置。
【００１１】
前記制震回動抑制装置５０をその内部に装着する、上部に柱の取替式支柱取付台２１が付き、下部に角度調整の出来る角度台取付ボルト穴１９が付く、角形制震装置取付調整台３３Ａを備えた、制震、免震回動抑制装置。
角形制震装置取付調整台３３Ａとする、内側に重着した制震回動抑制装置５０の取付は外に制震装置台保護材７４が有り、その外側に重着した角形制震装置取付調整台３３Ａは重着の為に振動強度が上がり支柱の使用に対応する角形制震装置取付調整台３３Ａを備える、制震、免震回動抑制装置。
【発明の効果】
【００１２】
本発明においては制震回動抑制装置部材５０としての、支柱は梁、桁、束、土台に使用すると支柱損傷を少なくし、かつ建物の倒壊防止に貢献出来る部材として、倒壊に対応して、角形制震装置取付調整台３３Ａは使用時の角形と丸形支柱材の交換が使用が出来る、制震回動抑制装置部材５０の支柱取付に部材の部分取替施工が出来、在来建物も簡単に取付が出来る、建築物、建設物の地震動に対して制震装置として広い範囲の使用として、優れた効果を出す。                      
【００１３】
制震、免震回動抑制装置部材として建物の支柱繋ぎと、土台周りに取付施工出来る、支柱、土台の戻り装置が一個で地震動抑制部材として働く、使用期間の長い耐久性が有り長い期間使用出来る、建築物、建設物に幅広く、応用出来る。      
【００１４】
地震動抑制部材として支柱の制震回動抑制装置５０取付部材とし木材、化学材、鋼材部材の組み合わせで免震回動抑制装置４３付け耐久性有る支柱製品が作れ再生使用出来る部材として使用、中心部ボルト部４、に回動センサー１１Aを装着し地震動の測定記録が出来る装置として建物の変化とコストの低減化が図れる。
【図面の簡単な説明】
【００１５】
【図１】制震回動抑制装置部材、側面断面図
【図２】制震装置支柱取付上部台部、上面断面図
【図３】制震装置下部繋ぎ台、下面断面図
【図４】柱取付台、つなぎ部材、断面側面図
【図５】振動抑制バネ装置取付部、側面断面図
【図６】免震回動抑制装置部材、作動前と作動中、側面断面図
【図７】免震回動抑制装置部材、上面断面図
【図８】角台制震装置装着取付台、側面図
【図９】丸形、制震装置支柱取付け式台、上面断面図
【図１０】角形、制震装置支柱取付け式台、上面断面図
【図１１】支柱先端上下固定カバー、側面図
【図１２】８角台形繋ぎＨ台、側面図
【図１３】８面I形、V形、L形つなき台形加工支柱繋ぎ部材、側面図
【図１４】台形内制震回動抑制装置部材支柱つなぎ部材、側面図
【図１５】加工材支柱先端合わせカバー上下、支柱固定カバー、側面図
【図１６】８角式台形内加工支柱取付施工部材、支柱受け台、側面図
【図１７】制震抑制装置付加工支柱先端つなぎ部材、側面図
【図１８】８角方向制震装置組付け八面支柱台部材、上面図
【図１９】斜倒角組立部材支柱台連結取付部材、側面図
【図２０】８角方向斜倒角組立材支柱取付台部材、側面図
【図２１】８角方向斜倒角角度調整台部材、上面断面図
【発明を実施するため形態】
【００１６】
以下に、本発明の実施形態を添付図面を参照して詳細に説明する。図１、ないし図５は本発明に係る、制震回動抑制装置５０として実施形態を示す概念図であり、円柱状で中が空洞である、外側ケース１７と、前記外側ケース１７と同心軸である円柱状の内側ケース７を設置し、外側ケース１７と内側ケース７の間一次回動抑制空間部１４に空間を有して設置し、一次回動抑制空間部バネ１３Ａを設置し、前記外側ケースと内側ケースの同心軸に二次回動抑制主軸コアー部マウント台2Ａを設け、前記二次回動抑制主軸コアー部マウント台２Ａと内側ケース7との間の空間に二次回動抑制バネ２を設置し、前記外側ケースと内側ケース及び回動抑制主軸コアー部マウント台２Ａはボルト部とし図５は、空間部に８．１４に振動回動抑制バネを用意した、空間部８、１４バネを左右対称にバネカップ１６が埋設、空間部の地震動抑制材として自由に回動抑制をする、バネカップ１６の内側に摺動するカップ１６Aが付く、埋設されていることを特徴する回動抑制材と、中心部を振動回動抑制する、二次回動抑制主軸コアー部マウント台２Ａがボルト４に付き、外側ケース17と内側ケース７の空間部にバネカップ１６で一次地震動抑制する、振動空間部上下に回動抑制材バネカップ１６を８角方向に複数本上下に取付る、回動振動を抑制する、二次地震動抑制する、二次回動抑制主軸コアー部マウント台２A、二次回動抑制バネ部２は、８角方向上下に複数本のバネ２設置し二次地震動抑制材とする、ボルト４上部に回動センサー11Aで地震動の測定をする、上下ゼンマイ式バネ９、１０が取り付け振動回動抑制する、上下回動振動抑制用と中心部位置に戻る部材として設置する事で、突き上げる三次回動振動を抑制として、連通回動振動跨嵌板６は下部にバネを複数本取付する、二次地震動を上下回動振動抑制と、外側ケース１７上部に太バネ複数本上部に付く、振動空間部を元の隙間に戻すバネとする、一次地震動抑制部として外側ケース１７に二カ所当たり止め式に１１、２４突起付いている、図２は、外側ケース１７上部のA-A’制震装置支柱周りにバネ式扇形１２が複数本取付する、ゴミ、水分入れない、減勢する、図４は、上部各柱取付部に支柱取替用台２３が設置する、上部に各交換加工支柱台２１が複数ボルトで取付出来る、図３は、外側ケース底３台部が有り底板３が合わせ外側ケース１７を固定する、制震回動抑制装置底板部材３を取替式支柱取付する事を備える。
【００１７】
請求項1および２記載の部材を使用した、 免震回動抑制装置の作動は地震動時の回動抑制する仕組みは自動で建物の土台を元の位置に戻す回動抑制装置として図６免震回動抑制装置と、図７の土台取付作動の仕組みは、十字式板バネ３５の先端部に上側四面スタビライザー３４先端部にボール・ジョイント４２に取付け、連結調整ロッド３６で繋ぐ式です、四個組付けのジョイントとして十字式板バネ３５の先端取付部と上側四面スタビライザー３４、先端と連結調整ロッド３６先端とバネ付ショクアプソーバー３７先端取付部がセットになっている、下側部には、バネ付ショクアプソーバー３７は免震回動抑制装置台４３の四隅に複数固定です、連結調整ロット３６は四隅に縦に付き、下側はボール・ジョイント４２がロアーアーム４８の先端に付くボール・ジョイント４２、下側四面スタビライザー３４Ａは取付部にヒネリ調整付と、四隅取付ロアーアーム４８の中間に左右対称にホールジョイント４２でスタビライザー３４Ａ先端が四隅のロアーアーム４８中間に付く下側スタビライザー３４Ａて押圧し、ゆっくり戻る作用をする。地振動回動を受ける上部と下部は十字式板バネ３５とバネ付ショクサブソーバー３７は戻り用として作動する、上部振動回動四面方向圧縮バネ４４は、振動回動四面方向にシリンダ式圧縮バネを装備４４を使用し作動の振動回動を抑え、動きを小さくし地振動回動抑制し戻り装置とする、免震回動抑制装置台４３材の、中心部に装着した、制震回動抑制装置５０の小刻み地震動を制御する、回りの動きを大きくする部材と中心部の小刻み地震動を抑えて、元の位置に戻り安くする組付けにした、建物の土台の下部に十字式板バネ３５と振動回動四面方向圧縮バネ４４と上下スタビライザー３４、３４Ａとバネ付ショクアプソーバー３７と制震回動抑制装置５０で回りの地震動回動抑制をした免震回動抑制装置と小型に構成した、免震作用を発揮させ、元の位置に戻る免震動回動抑制装置とする。          
【００１８】
請求項４地震動抑制とし制震回動抑制装置５０を支柱に使用出来、丸形、角形の取付施工出来る機能を有して支柱組み付ける部材として使用出来る、図８は、継ぎ手と仕口は支柱繋ぎ丸形図９として、図１０は角形の中に丸形を備える、にそれぞれ柱、梁支柱、束、桁、に取付建築物の振動回動を抑制し支柱の繋ぎにする、制震装置取付する取替式支柱取付台２１、図１５、と図１７の支柱繋ぎ支柱として付く、木材、化学材、鋼材として未来の建築物、建設物に使用出来る支柱の組み替え式部材とする材料として開発取付できる、組立部材とし図１４、図１６は、８角方向台形繋ぎ上下板材は図１２のH台を使用し支柱台部材を組付けする、梁用としての斜倒角台つなぎ調整８７部材は、１９図のように合体組付け方法か出来る、図１３は使用にI形、V形、T形、L形８角方向調整台形繋ぎ台を組み替えて支柱取付台周り施工が出来る、支柱台周り施工と、柱に制震回動抑制装置５０部材を使用し図１１は、先端つなぎ部材として上下カバーを咬止部材とし組付使用する事で強固にし、水や湿気を防ぐ、支柱繋ぎに使用することで、取替を用意にし破壊、倒壊を少なくし、解体工事を簡素化する特徴を部材としたものである。
【産業上の利用可能性】
【００１９】
図１おいて制震回動抑制装置５０を地震動抑制での使用で建築、建設技術を地震に対する変革する事を進める事ができる、建築、建設資材の制震装置の部材での使用で、災害を少なくする事の技術発明が急がれる、支柱、梁支柱、束、桁と先端支柱につなぎ部材として使用、建築物、建設物の橋柱土台部、振動抑制材、緩和支柱材、地震動抑制部材として使用する事が出来る、制震回動抑制装置部材使用することで破壊、倒壊防止をなくするための備えとした部材の開発が急がれる。
【符号の説明】
【００２０】
１    回動抑制主軸ボルト部
１A  制震装置加工材支柱組付け台
２    二次回動抑制バネ部
２A  二次回動抑制主軸コアー部マウント台
３       制震回動抑制装置底板 
４    ボルト調整ナット
５       支柱取付台ボルト、穴
６    連通回動抑制跨嵌板
７    内側ケース
８    二次回動抑制空間部
９    主軸上部ゼンマイ式バネ
１０   主軸下部ゼンマイ式バネ
１０A  センサースイッチ配線
１１  上下当たり止め空間バネ台
１１A  回動センサー
１２  回動抑制空間部扇形板
１３  回動抑制軸空間部扇バネ用
１３A  一次回動抑制空間部バネ 
１４  一次回動抑制空間部
１５  上部柱取付調整ロック、ナット
１６  バネカップ
１６A摺動内バネ
１７  合わせ外側ケース
１８  上部回動抑制太バネ
１９   角度台取付ボルト穴  
２０  支柱つなぎボルト部
２１  取替式支柱取付台
２２  キー締め付けボルト穴 
２３  支柱取付ボルト穴
２４  上下当たり受け止台
２５  支柱台咬止連結ボルト、キー溝
２６  外側合わせ締め付けボルト、穴
２７  二次回動抑制コアー連結部台
２８  下部回動抑制柱板下バネ
２９  角形制震装置調整ボルト穴
３０  太バネ下部摺動台    
３１  支柱台調整楕円ワッシャー
３２  丸形底台合わせ取付ボルト
３３  丸形、角形耐震箱取付ボルト、ダボ、キー
３３A  角形制震装置取付調整台
３４   上側四面スタビライザー
３４A下側四面スタビライザー
３５  十字式板バネ
３６  連結調整ロッド
３６A  丸形制震回動抑制装置下部取付ボルト
３７  バネ付ショクアプソーバー
３８  太バネ
３９  太バネ上部摺動台
４０  水平移動圧縮シリンダー台
４１  上下部ゼンマイ式バネ
４２  ボール・ジョイント
４３  免震回動抑制装置台
４４  振動回動四面方向圧縮バネ
４５  四面方向圧縮移動台
４６  レベル調整ボルト部材
４７  十字板押え板バネ台  
４８  ロアーアームA.B
４９  ロアーアーム台
５０  制震回動抑制装置
５１  支柱下部調整取付台ボルト穴
５２  繋ぎ止め保護台ピン、ボルト
５３  縦支柱丸形、角形制震装置取付台
５４  合わせ板制震装置調整キー溝、ボルト 
５６  梁用V形組立切り取り線
５７  梁用I形組立切り取り線
５８  ８角台形繋ぎ板支柱台
５９  斜倒角台繋ぎ上下板調整穴台
６０  つなぎ板調整台取付穴
６１  台形板繋ぎ上板下板Ｈ台
６２  斜塔角支柱外側調整台
６３  支柱繋ぎ合わせ上部材
６４  支柱繋ぎ部ボルト穴
６５  支柱合わせつなぎ部咬止上部下部材
６６  支柱繋ぎ合わせ下部材
６７  支柱つなぎ材取付ボルト、キー
６８  太ねじ取替支柱つなぎ台
６９  支柱取替式つなぎ簡単取付台
７０  支柱繋ぎ固定溝キー、杭、ダボ
７１  支柱つなぎ部組付けキー、ダボ、ボルト
７２  台形繋ぎ板支柱調整台  
７３  台形繋ぎ調整組付け板
７４  制震装置台保護材
７５  台形繋ぎ板調整台穴
７６  台形上下板咬止調整支柱台
７７  繋ぎ台取付ボルト
７８  支柱の内部セメント部
７９  支柱の内部、鋼材、鉄金
８０  支柱材組付け合わせ部   
８１  支柱先端当たり弾性体部
８２  斜倒角８角繋ぎ支柱調整台
８３  斜塔角８角支柱調整繋ぎ台
８４  鉄筋コンクリート抑え台
８５  ８角方向内側ケース支柱調整台
８６  ８角方向外側繋ぎ調整台
８７  斜塔角組付繋ぎ止め調整台
８８  斜倒角台繋ぎ部咬止台
【手続補正２】
【補正対象書類名】特許請求の範囲
【補正対象項目名】全文
【補正方法】変更
【補正の内容】
【特許請求の範囲】
【請求項１】
制震部材として円柱状で中が空間である外側ケース１７と、前記外側ケース１７と同心軸である円柱状で中が空間の内側ケース７を、外側ケース１７内に一次回動抑制空間部１４を有して設置し、前記一次回動抑制空間部１４に一次回動抑制空間部バネ１３Aを設け、上部に回動抑制太いバネ１８設置した、前記外側ケース１７と内側ケース７の同心軸位置に二次回動抑制主軸コア部マウント台２Aを設け、前記二次回動抑制主軸コア部マウント台２Aと内側ケース７との間の二次回動抑制空間部８に二次回動抑制バネ２を設置する、二次回動抑制主軸コアー連結部台２７は、二次回動抑制主軸コアー部マウント台２Aと連通回動抑制跨嵌板を載せ付ける、内側ケース７の回動抑制に中間部に外側ケース１７内側切欠き部が有り、上下当たり受け止めとして回動抑制当たり止めバネ台１１と支柱上下当たり受け止め台２４で、支柱の地震動抑制する事を備える制震回動抑制装置５０からなる制震、免震回動抑制装置。                  
【請求項２】
前記一次回動抑制空間部バネ１３A及び二次回動抑制バネ２は、一次、二次回動抑制空間部１４、８で一対のつばを有する円筒状の管で有る外バネカップ１６のつば部を対向させ、該外バネカップ１６の内側に摺動内バネカップ１６Aが収納され、二次回動抑制主軸コア部２Aに設置した回動抑制主軸ボルト部１の上部に回動センサー１１Aが付、上部ゼンマイ式バネ９、下部ゼンマイ式バネ１０が回動抑制主軸ボルト部１で接続されていて、内側ケース７下部土台と底板３が下部回動抑制柱下バネ２８で接続されている事を備える、請求項１記載の制震、免震回動抑制装置。
【請求項３】
前記制震回動抑制装置５０の上部の四面に取付け、十字式の板バネ３５を複数枚重ねるバネ先端に取付けた上側四面スタビライザー３４と、該上側四面スタビライザー３４とボールジョイント４２接続するロッド３６の下端にボールジョイント４２接続し、下側のロアーアーム４８に連結した、四面に付く下側四面スタビライザー３４Ａと、一端を連結調整ロッド３６上端にボールジョイント４２接続し土台振動回動受けるバネ付ショクアプソーバー３７と、保護太バネ３８と、振動回動四面方向圧縮バネ４４とを備えた請求項１又は２記載の制震、免震回動抑制装置。  
【請求項４】
前記制震回動抑制装置５０をその内部に装着する、上部に柱の取替式支柱取付台２１が付き、下部に角度調整の出来る角度台取付ボルト穴１９が付く、角形制震装置取付調整台３３Aを備えた請求項１又は２記載の制震、免震回動抑制装置。